(57)【要約】  通信システムにおいて、ユーザ機器（ＵＥ）は、第１のアンテナと第２のアンテナとを使用して、スイッチトアンテナ送信ダイバーシティ（ＳＡＴＤ）またはビームフォーミング送信ダイバーシティ（ＢＦＴＤ）のいずれかによってアップリンク送信ダイバーシティ（ＵＬＴＤ）を条件付きで実行する。サービングノードまたはＵＥのいずれかが、アップリンク送信ダイバーシティが条件付きで許可されることを決定する。サービングノードまたはＵＥのいずれかが、値を測定する。ＵＥは、値に基づく有効化条件が満たされることを決定することに応答して、ＵＬＴＤを使用して送信する。ＵＥは、値に基づく無効化条件が満たされることを決定することに応答して、アップリンク送信ダイバーシティを無効にすることもできる。無効化条件は、ヒステリシスのための閾値調整とともに有効化閾値を備える有効化条件に等しい無効化閾値を備える。【選択図】      図１
2013526236.tif 000002
【特許請求の範囲】
【請求項１】
アップリンク送信ダイバーシティのための装置であって、
ユーザ機器の第１のアンテナにおいてアップリンクを送信するための手段と、
アップリンク送信ダイバーシティが条件付きで許可されることを決定するための手段と、
値を測定するための手段と、
前記値に基づく有効化条件が満たされることを決定することに応答して、アップリンク送信ダイバーシティのために前記ユーザ機器の少なくとも部分的に第２のアンテナにおいて前記アップリンクを送信するための手段と
を備える装置。
【請求項２】
前記ユーザ機器の前記第１のアンテナにおいて前記アップリンクを送信するための送信機と、
アップリンク送信ダイバーシティが条件付きで許可されることを決定するためのアップリンク送信ダイバーシティコントローラと、
前記値を測定するための受信機と、
前記値に基づく前記有効化条件が満たされることを決定することに応答して、アップリンク送信ダイバーシティのために前記ユーザ機器の少なくとも部分的に前記第２のアンテナにおいて前記アップリンクをさらに送信するための前記送信機と
をさらに備える請求項１に記載の装置。
【請求項３】
前記送信機が、スイッチトアンテナ送信ダイバーシティ（ＳＡＴＤ）での少なくとも部分的に前記第２のアンテナにおいて前記アップリンクを送信するためのものであり、
前記アップリンク送信ダイバーシティコントローラが、さらに、前記第１のアンテナにおける送信と前記第２のアンテナにおける送信との間の切替え以降経過した時間を備える前記値を測定し、経過した時間を備える前記値を最小経過時間閾値の前記有効化条件と比較することに応答して、前記第１のアンテナと前記第２のアンテナとの間の切替えを有効にするためのものである
請求項２に記載の装置。
【請求項４】
前記アップリンク送信ダイバーシティコントローラが、さらに、前記ユーザ機器がデュアルキャリア高速アップリンクパケットアクセス（ＤＣ−ＨＳＵＰＡ）のために構成されていることを決定することに応答して、スイッチトアンテナ送信ダイバーシティ（ＳＡＴＤ）での前記第１のアンテナと前記第２のアンテナとの間に切替えを無効にするためのものである、請求項２に記載の装置。
【請求項５】
前記送信機が、さらに、ビームフォーミング送信ダイバーシティ（ＢＦＴＤ）での少なくとも部分的に前記第２のアンテナにおいて前記アップリンクを送信するためのものであり、前記アップリンク送信ダイバーシティコントローラが、前記ユーザ機器がデュアルキャリア高速アップリンクパケットアクセス（ＤＣ−ＨＳＵＰＡ）のために構成されていることを決定することに応答して、ＢＦＴＤを無効にするためのものである、請求項２に記載の装置。
【請求項６】
前記アップリンク送信ダイバーシティコントローラが、さらに、前記ユーザ機器の電力ヘッドルームを備える前記値を有効化閾値と比較することによって、前記値に基づく前記有効化条件が満たされることを決定するためのものである、請求項２に記載の装置。
【請求項７】
前記アップリンク送信ダイバーシティコントローラが、さらに、前記ユーザ機器のアクティブセットサイズを備える前記値をアクティブセット閾値と比較することによって、前記値に基づく前記有効化条件が満たされることを決定するためのものである、請求項２に記載の装置。
【請求項８】
前記アップリンク送信ダイバーシティコントローラが、さらに、共通パイロットチャネル（ＣＰＩＣＨ）受信信号符号電力（ＲＳＣＰ）を備える前記値を有効化閾値と比較することによって、前記値に基づく前記有効化条件が満たされることを決定するためのものである、請求項２に記載の装置。
【請求項９】
前記アップリンク送信ダイバーシティコントローラが、さらに、ユニバーサルモバイル通信システム（ＵＭＴＳ）地上無線アクセス（ＵＴＲＡ）キャリア受信信号強度（ＲＳＳＩ）を備える前記値を有効化閾値と比較することによって、前記値に基づく前記有効化条件が満たされることを決定するためのものである、請求項２に記載の装置。
【請求項１０】
前記アップリンク送信ダイバーシティコントローラが、さらに、前記ユーザ機器による送信電力の前記値を有効化閾値と比較することによって、前記値に基づく前記有効化条件が満たされることを決定するためのものであり、前記有効化条件が満たされることを決定することが、リリース１９９９専用チャネル（ＤＣＨ）のみが前記ユーザ機器上に構成されていることを決定することをさらに備える、請求項２に記載の装置。
【請求項１１】
前記アップリンク送信ダイバーシティコントローラが、さらに、前記ユーザ機器の速度を備える前記値を有効化閾値と比較することによって、前記値に基づく前記有効化条件が満たされることを決定するためのものである、請求項２に記載の装置。
【請求項１２】
前記アップリンク送信ダイバーシティコントローラが、さらに、サービングノードからの前記ユーザ機器の距離を備える前記値を有効化閾値と比較することによって、前記値に基づく前記有効化条件が満たされることを決定するためのものである、請求項２に記載の装置。
【請求項１３】
前記アップリンク送信ダイバーシティコントローラが、さらに、前記ユーザ機器によって送信される平均データレートを備える前記値を有効化閾値と比較することによって、前記値に基づく前記有効化条件が満たされることを決定するためのものである、請求項２に記載の装置。
【請求項１４】
前記アップリンク送信ダイバーシティコントローラが、さらに、無線リソース管理（ＰＲＭ）操作の持続時間、干渉管理操作の持続時間、サービスされる複数のユーザ機器のトラフィック特性、または選択された時間量内のアンテナ切替えの数を備える前記値を有効化閾値と比較することによって、前記値に基づく前記有効化条件が満たされることを決定するためのものである、請求項２に記載の装置。
【請求項１５】
前記アップリンク送信ダイバーシティコントローラが、さらに、前記値に基づく無効化条件が満たされることを決定することに応答してアップリンク送信ダイバーシティを無効にするためのものであり、前記無効化条件が、ヒステリシスのための閾値調整とともに有効化閾値を備える前記有効化条件に等しい無効化閾値を備える、請求項２に記載の装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１０年５月３日に出願された「UE Based Conditional Enabling of ULTD」と題する仮出願第６１／３３０，８７０号の優先権を主張する。
【０００２】
本開示は、一般に通信に関し、より詳細には、ワイヤレス通信ネットワークにおけるアップリンク送信ダイバーシティの技法に関する。
【背景技術】
【０００３】
ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立できる。
【０００５】
ユニバーサルモバイル通信システム（ＵＭＴＳ）は第３世代（３Ｇ）携帯電話技術の１つである。ＵＭＴＳ地上無線アクセスネットワーク（Terrestrial Radio Access Network）、略してＵＴＲＡＮは、ＵＭＴＳ無線アクセスネットワークを構成するノードＢと無線ネットワークコントローラとの総称である。この通信ネットワークは、リアルタイム回線交換からＩＰベースパケット交換まで多くのトラフィックタイプを搬送することができる。ＵＴＲＡＮは、ＵＥ（ユーザ機器）とコアネットワークとの間の接続を可能にする。ＵＴＲＡＮは、ノードＢと呼ばれる基地局と無線ネットワークコントローラ（ＲＮＣ）とを含む。ＲＮＣは１つまたは複数のノードＢに制御機能を与える。典型的な実装形態は、複数のノードＢにサービスしている中央局に配置された別個のＲＮＣを有するが、ノードＢとＲＮＣは同じデバイスとすることができる。ノードＢとＲＮＣとが物理的に分離される必要はないということにもかかわらず、それらの間には、Ｉｕｂとして知られる論理インターフェースがある。ＲＮＣおよびその対応するノードＢは、無線ネットワークサブシステム（ＲＮＳ）と呼ばれる。ＵＴＲＡＮには２つ以上のＲＮＳが存在する場合がある。
【０００６】
（ＩＭＴ  Ｍｕｌｔｉ  Ｃａｒｒｉｅｒ（ＩＭＴ  ＭＣ）としても知られる）ＣＤＭＡ２０００は、モバイルフォンとセルサイトとの間でボイス、データ、およびシグナリングデータを送るためにＣＤＭＡチャネルアクセスを使用する３Ｇモバイル技術規格のファミリーである。規格の組（set）は、ＣＤＭＡ２０００  １Ｘと、ＣＤＭＡ２０００  ＥＶ−ＤＯ  Ｒｅｖ．０と、ＣＤＭＡ２０００  ＥＶ−ＤＯ  Ｒｅｖ．Ａと、ＣＤＭＡ２０００  ＥＶ−ＤＯ  Ｒｅｖ．Ｂとを含む。すべて、ＩＴＵのＩＭＴ−２０００用の承認された無線インターフェースである。ＣＤＭＡ２０００は、比較的長い技術的歴史を有し、それの前の２ＧイタレーションＩＳ−９５（ｃｄｍａＯｎｅ）との後方互換性がある。
【０００７】
１ｘおよび１ｘＲＴＴとしても知られるＣＤＭＡ２０００  １Ｘ（ＩＳ−２０００）は、コアＣＤＭＡ２０００ワイヤレスエアインターフェース規格である。１ｘＲａｄｉｏ  Ｔｒａｎｓｍｉｓｓｉｏｎ  Ｔｅｃｈｎｏｌｏｇｙを意味する「１ｘ」という記号は、ＩＳ−９５と同じＲＦ帯域幅、すなわち１．２５ＭＨｚ無線チャネルのデュプレックスペアを示す。１ｘＲＴＴは、６４個の元のセットに直交する（直角位相にある）６４個のさらなるトラフィックチャネルを順方向リンクに追加することによって、ＩＳ−９５の容量をほぼ２倍にする。１Ｘ規格は、最高１５３ｋｂｐｓのパケットデータ速度をサポートし、実世界データ送信は、大部分の商用アプリケーションでは平均して６０〜１００ｋｂｐｓである。また、ＩＭＴ−２０００は、媒体およびリンクアクセス制御プロトコルとサービス品質（ＱｏＳ）とを含む、データサービスのより大規模な使用のためのデータリンクレイヤへの変更を行った。ＩＳ−９５データリンクレイヤは、データのための「ベストエフォート配信」とボイスのための回線交換チャネル（すなわち、２０ｍｓごとに１回のボイスフレーム）を提供したのみであった。
【０００８】
しばしばＥＶ−ＤＯまたはＥＶと省略されるＣＤＭＡ２０００  １ｘＥＶ−ＤＯ（Ｅｖｏｌｕｔｉｏｎ−Ｄａｔａ  Ｏｐｔｉｍｉｚｅｄ）は、一般にブロードバンドインターネットアクセスのための、無線信号を介したデータのワイヤレス送信のための電気通信規格である。それは、個々のユーザのスループットと全体的なシステムスループットの両方を最大にするために、符号分割多元接続（ＣＤＭＡ）ならびに時分割多元接続（ＴＤＭＡ）を含む多重化技法を使用する。それは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって規格化され、世界中の多くのモバイルフォンサービスプロバイダ、特にＣＤＭＡネットワークを前に採用したプロバイダによって採用されている。
【０００９】
３ＧＰＰ  ＬＴＥ（Ｌｏｎｇ  Ｔｅｒｍ  Ｅｖｏｌｕｔｉｏｎ）は、ＵＭＴＳモバイルフォン規格を将来の要件に対処するように向上させるためのＴｈｉｒｄ  Ｇｅｎｅｒａｔｉｏｎ  Ｐａｒｔｎｅｒｓｈｉｐ  Ｐｒｏｊｅｃｔ（３ＧＰＰ）内のプロジェクトに付けられた名前である。目的は、効率性向上、コスト削減、サービス改善、新規のスペクトル機会（spectrum opportunity）の利用、および他のオープンスタンダードとの統合の改良を含む。ＬＴＥシステムは、進化型ＵＴＲＡ（ＥＵＴＲＡ）および進化型ＵＴＲＡＮ（ＥＵＴＲＡＮ）規格シリーズに記載されている。
【発明の概要】
【００１０】
以下で、開示する態様のいくつかの態様の基本的理解を与えるために簡略化された概要を提示する。この概要は、包括的な概観ではなく、主要なまたは重要な要素を識別するものでも、そのような態様の範囲を定めるものでもない。その目的は、後で提示するより詳細な説明の導入として、説明する特徴のいくつかの概念を簡略化された形態で提示することである。
【００１１】
一態様では、本開示は、ユーザ機器の第１のアンテナにおいてアップリンクを送信し、アップリンク送信ダイバーシティが条件付きで許可されることを決定し、値を測定し、値に基づく有効化条件（enabling condition）が満たされることを決定することに応答して、アップリンク送信ダイバーシティのためにユーザ機器の少なくとも部分的に第２のアンテナにおいてアップリンクを送信することによるアップリンク送信ダイバーシティのための方法を提供する。
【００１２】
別の態様では、本開示は、アップリンク送信ダイバーシティのための少なくとも１つのプロセッサを提供する。第１のモジュールは、ユーザ機器の第１のアンテナにおいてアップリンクを送信する。第２のモジュールは、アップリンク送信ダイバーシティが条件付きで許可されることを決定する。第３のモジュールは、値を測定する。第４のモジュールは、値に基づく有効化条件が満たされることを決定することに応答して、アップリンク送信ダイバーシティのためにユーザ機器の少なくとも部分的に第２のアンテナにおいてアップリンクを送信する。
【００１３】
追加の態様では、本開示は、アップリンク送信ダイバーシティのためのコンピュータプログラム製品を提供する。非一時的（non-transitory）コンピュータ可読記憶媒体は、コードのセットを記憶する。第１のコードセットは、コンピュータにユーザ機器の第１のアンテナにおいてアップリンクを送信させる。第２のコードセットは、コンピュータにアップリンク送信ダイバーシティが条件付きで許可されることを決定させる。第３のコードセットは、コンピュータに値を測定させる。第４のコードセットは、コンピュータに、値に基づく有効化条件が満たされることを決定することに応答して、アップリンク送信ダイバーシティのためにユーザ機器の少なくとも部分的に第２のアンテナにおいてアップリンクを送信させる。
【００１４】
さらなる態様では、本開示は、アップリンク送信ダイバーシティのための装置を提供する。装置は、ユーザ機器の第１のアンテナにおいてアップリンクを送信するための手段を備える。装置は、アップリンク送信ダイバーシティが条件付きで許可されることを決定するための手段を備える。装置は、値を測定するための手段を備える。装置は、値に基づく有効化条件が満たされることを決定することに応答して、アップリンク送信ダイバーシティのためにユーザ機器の少なくとも部分的に第２のアンテナにおいてアップリンクを送信するための手段を備える。
【００１５】
さらに別の態様では、本開示は、アップリンク送信ダイバーシティのための装置を提供する。送信機は、ユーザ機器の第１のアンテナにおいてアップリンクを送信する。アップリンク送信ダイバーシティコントローラは、アップリンク送信ダイバーシティが条件付きで許可されることを決定する。受信機は、値を測定する。送信機はさらに、値に基づく有効化条件が満たされることを決定するためのアップリンク送信ダイバーシティコントローラに応答して、アップリンク送信ダイバーシティのためにユーザ機器の少なくとも部分的に第２のアンテナにおいてアップリンクを送信する。
【００１６】
上記および関連する目的を達成するために、１つまたは複数の態様は、以下で十分に説明し、特に特許請求の範囲で指摘する特徴を備える。以下の説明および添付の図面は、いくつかの例示的な態様を詳細に記載し、本態様の原理が使用でき得る様々な方法のほんのいくつかを示すものである。他の利点および新規の特徴は、以下の詳細な説明を図面とともに検討すれば明らかになり、開示する態様は、すべてのそのような態様およびそれらの均等物を含むものとする。
【００１７】
本開示の特徴、性質、および利点は、全体を通じて同様の参照符号が同様のものを指す図面とともに、以下に記載する詳細な説明を読めばより明らかになろう。
【図面の簡単な説明】
【００１８】
【図１】アップリンク送信ダイバーシティ（ＵＬＴＤ）を条件付きで実行するための通信システムの概略図。
【図２】測定値を使用してＵＬＴＤの有効化／無効化をトリガするときに実行されるステップを含むフローチャート。
【図３】コアおよびユーザ機器へのそのインターフェースとともに２つの無線ネットワークサブシステムを有する無線アクセスシステムを示すブロック図。
【図４】セルラー通信システムの簡略図。
【図５】本明細書において以下で詳述され、具体的には、ベースノード（ノードＢ）および無線ネットワークコントローラがパケットネットワークとインターフェースをとり、無線ネットワークコントローラとノードＢとを含む通信システムの一部の図。
【図６】ユーザ機器（ＵＥ）を示すブロック図。
【図７】送信機の構造による信号の機能ブロック流れ図。
【図８】スイッチトアンテナ送信ダイバーシティ（ＳＡＴＤ）送信機のブロック図。
【図９】ＳＡＴＤデバイスにおいてアンテナ切替えレートをテストし、検証するために使用され得るテストセットアップを開示する図。
【図１０】ＵＬＴＤを条件付きで実行するための電気的構成要素の論理的グルーピングのシステムの概略図。
【発明を実施するための形態】
【００１９】
通信システムにおいて、ユーザ機器（ＵＥ）は、第１のアンテナと第２のアンテナとを使用して、スイッチト（Switched）アンテナ送信ダイバーシティ（ＳＡＴＤ）またはビームフォーミング送信ダイバーシティ（ＢＦＴＤ）のいずれかによってアップリンク送信ダイバーシティ（ＵＬＴＤ）を条件付きで実行する。サービングノードまたはＵＥのいずれかが、アップリンク送信ダイバーシティが条件付きで許可されることを決定する。サービングノードまたはＵＥのいずれかが、値を測定する。ＵＥは、値に基づく有効化条件が満たされることを決定することに応答して、ＵＬＴＤを使用して送信する。ＵＥは、値に基づく無効化条件が満たされることを決定することに応答して、アップリンク送信ダイバーシティを無効にすることもできる。無効化条件（disabling condition）は、ヒステリシスのための閾値調整（threshold adjustment）とともに有効化閾値（enabling threshold）を備える有効化条件に等しい無効化閾値を備える。
【００２０】
たとえば、ＵＥがデュアルキャリア高速アップリンクパケットアクセス（ＤＣ−ＨＳＵＰＡ）のために構成される場合、ＳＡＴＤは、切替えが速すぎること、または使用されること自体が防止され得る。他の態様では、有効化閾値および無効化閾値は、電力ヘッドルーム、アクティブセットサイズ、共通パイロットチャネル（ＣＰＩＣＨ）受信信号符号電力（ＲＳＣＰ）、ユニバーサルモバイル通信システム（ＵＭＴＳ）地上無線アクセス（ＵＴＲＡ）キャリア受信信号強度（ＲＳＳＩ）、チップエネルギーをサービングノードからのダウンリンクのノイズ密度で割ったもの（Ｅｃ／Ｎｏ）、ＵＥによる送信電力、ＵＥの速度、サービングノードからのＵＥの距離、ＵＥによって送信される平均データレート、無線リソース管理（ＲＲＭ）操作の持続時間、干渉管理操作の持続時間、サービスされる複数のＵＥのトラフィック特性、および選択された時間量内のアンテナ切替えの数に基づき得る。
【００２１】
一態様では、ＤＣ−ＨＳＵＰＡが構成されると、ＳＡＴＤは無効にされる。従来では、ＨＳＰＡでのＵＬ  Ｔｘダイバーシティは、単一のアップリンク周波数の操作に制限されている。デュアルキャリアＨＳＵＰＡ（ＤＣ−ＨＳＵＰＡ）が構成されるとＵＬＴＤが有効にされることになっている場合、仮定されたＵＥ送信アーキテクチャに応じて、ビームフォーミング送信ダイバーシティ（ＢＦＴＤ）とＳＡＴＤの両方のための新しい方法を画定する必要があり得る。一例では、ＤＣ−ＨＳＵＰＡとＵＬＴＤとを結合することができ得る。ＵＬＴＤは、単一のアップリンク周波数操作に制限され得る。一例では、ＤＣ−ＨＳＵＰＡが構成されるときにＵＥがＵＬＴＤを無効にしていることを確実にするために、テストが導入され得る。別の例では、ＳＡＴＤ対応のＵＥでは、ＤＣ−ＨＳＵＰＡが構成されると、ＳＡＴＤが無効にされる。
【００２２】
別の態様では、ＵＬＴＤのＵＥベースの条件付きの有効化を実施することができる。アップリンク送信ダイバーシティ（ＵＬＴＤ）方式は、たとえば、ユーザ機器（ＵＥ）送信電力を低減する、またはＵＥカバレージ範囲を増加させる、またはＵＥデータレートを増加させる、または上記の組合せなど、伝送品質を向上させるために、ＵＥにおいて２つ以上（通常は２つ）の送信アンテナを使用する。これは、全体的なシステム容量を向上させるのを助けることもできる。フィードバック要件に基づいて、ＵＬＴＤ方式は、閉ループ（ＣＬ）方式および開ループ（ＯＬ）方式に分類することができる。送信機から見ると、ＵＬＴＤ方式は、ビームフォーミング（ＢＦ）方式およびアンテナスイッチング（ＡＳ）方式として分類され得る。
【００２３】
一般に、閉ループ（ＣＬ）送信ダイバーシティ方式では、受信機は、送信機が複数の送信アンテナに対する送信フォーマットを選択するのを助けるために、空間チャネルについての明確なフィードバック情報を提供する。一方、開ループ（ＯＬ）ＴＤ方式は、そうではない。Ｗ−ＣＤＭＡアップリンクの文脈では、ＯＬ  ＴＤ方式という用語は、コアの標準の変更のない、すなわち、新しいフィードバックチャネルを導入することのない方式を含む。
【００２４】
ＣＬＴＤ方式の２つのカテゴリがある。ＣＬＴＤビームフォーミング方式では、ノードＢで受信される信号が強め合うように追加されるように、ノードＢは、複数の送信アンテナを介して使用されるプリコーディング（またはビームフォーミング）ベクトルをＵＥにフィードバックする。これは、次に、受信機の信号対雑音比（ＳＮＲ）を最大にし、ビームフォーミング効果を達成する。ＣＬＴＤアンテナスイッチング方式では、ノードＢは、ＵＥが使用すべき送信アンテナ上でその選択をＵＥにフィードバックする。この選択は、結果的に、ＵＥ送信アンテナとノードＢ受信アンテナとの間に最も大きいチャネル利得をもたらす。２つの方式の間で、ＣＬＴＤ  ＢＦは、チャネルを追跡するための速さと、方式がどれくらいチャネル位相を中断する可能性があるかとの間のより良いトレードオフを達成することができる。
【００２５】
上位層シグナリングは、いくつかの潜在的なパフォーマンス問題を緩和するために、アップリンク送信ダイバーシティ伝送を有効または無効にするために導入され得る。
【００２６】
上位層制御が使用される場合、ＵＥは、ネットワークによって管理されるＵＥでいくつかの測定または条件に基づいてＵＬＴＤ機能を有効にすることができる。これらの測定または条件の多くは、ＵＬＴＤ方法によって使用されるセットの一部であり得る。これによって、上位層シグナリングが機能を有効／無効にすることができるだけではなく、機能がいつ行使され得るかに対するより微細な制御を追加する。いくつかの適したＵＥ測定に基づいてネットワーク制御を介してＵＥでＵＬＴＤを条件付きで有効および無効にすることが有利であり得る。
【００２７】
従来、開ループアップリンク送信ダイバーシティ（ＯＬ  ＵＬＴＤ）アルゴリズムは、ネットワーク動作に対する何らかのシステムパフォーマンスの影響を潜在的にもたらし得、ＯＬ  ＵＬＴＤが常に有効にされる場合、影響は強調され得る。常にＵＬＴＤを有効にする代わりに、本方法および装置は、１組のトリガに基づいてＵＬＴＤを条件付きで有効／無効にするために、ノードＢとＵＥの両方で使用され得る１組のトリガを開示する。ＵＬＴＤを条件付きで有効／無効にすることを可能にする方法および装置は、すべてのＵＥが所与の時間にＵＬＴＤを実行しているというとは限らないことを確実にすることによって、Ｗ−ＣＤＭＡ／ＨＳＵＰＡネットワーク操作へのシステムの影響のリスクを低減することができ得る。
【００２８】
ＵＬＴＤを有効にするための可能なトリガのリストは、次の通りであり得る。
【００２９】
ＵＥの電力ヘッドルームが構成可能な閾値未満になる
ＵＥのアクティブセットサイズ＞１
ＵＥで測定されるサービングセルからのＣＰＩＣＨ  ＲＳＣＰが閾値未満になる
ＵＥで測定されるＵＴＲＡキャリアＲＳＳＩが閾値未満になる
ＵＥで測定されるサービングセルからのＣＰＩＣＨ  Ｅｃ／Ｎｏが閾値未満になり、この場合、Ｅｃ／Ｎｏ（チップエネルギーをノイズ密度で割ったもの）は、受信信号符号電力（ＲＳＣＰ）を受信信号強度インジケータ（ＲＳＳＩ）で割ったものであるＲ９９  ＤＣＨのみが構成される場合、ＵＥ送信電力が閾値を超える。
【００３０】
ＵＬＴＤを無効にするための可能なトリガのリストは、次の通りであり得る。ＵＥの電力ヘッドルームが構成可能な閾値を超える
ＵＥのアクティブセットサイズ＝１
ＵＥで測定されるサービングセルからのＣＰＩＣＨ  ＲＳＣＰが閾値を超える
ＵＥで測定されるＵＴＲＡキャリアＲＳＳＩが閾値を超える
ＵＥで測定されるサービングセルからのＣＰＩＣＨ  Ｅｃ／Ｎｏが閾値を超える
Ｒ９９  ＤＣＨのみが構成される場合、ＵＥ送信電力が閾値未満になる。
【００３１】
ＵＬＴＤを有効にするための閾値は、一般に、ヒステリシスを考慮に入れるためにＵＬＴＤを無効にするための閾値とは異なる得ることに留意されたい。ネットワーク内で使用され得る別の有用なトリガは、ノードＢ側のＲＸ  Ｅｃｐ／Ｎｔ（ノイズレベルに対するパイロット信号振幅の比）である。それがある閾値を上回る場合、ＵＥは、ＵＬＴＤをオフにするために信号が送られ得る。
【００３２】
次に、図面を参照しながら様々な態様について説明する。以下の説明では、説明のために、１つまたは複数の態様の完全な理解を与えるために多数の具体的な詳細を記載する。ただし、様々な態様は、これらの具体的な詳細なしに実施できることは明白であろう。他の例では、これらの態様の説明を円滑にするために、よく知られている構造およびデバイスをブロック図の形態で示す。
【００３３】
まず図１を参照すると、通信システム１００で、ユーザ機器１０２として示される装置は、送信機１０５および第１のアンテナ１０６を使用してサービングノード１０８にアップリンク１０４を送信する。サービングノード１０８は、送信機１１３を介してアップリンク送信ダイバーシティ（ＵＬＴＤ）を実行するためにダウンリンク１１２上で送信することによって、ユーザ機器１０２を条件付きで許可することができる（ブロック１１０）。したがって、ユーザ機器１０２は、スイッチトアンテナ送信ダイバーシティ（ＳＡＴＤ）またはビームフォーミング送信ダイバーシティ（ＢＦＴＤ）のために第２のアンテナ１１４を使用することもできる。ユーザ機器１０２またはサービングノード１０８は、それぞれの受信機１１８、１２０によって受信される値１１６を測定する。アップリンク送信ダイバーシティ（ＵＬＴＤ）コントローラ１２２は、値１１６に基づく有効化条件１２４が満たされることを決定し、送信機１０５が第１のアンテナ１０６および第２のアンテナ１１４においてＵＬＴＤを使用してアップリンク１０４を送信できるようにする。
【００３４】
引き続き図１を参照すると、一態様では、ユーザ機器１０２は、本明細書で説明する構成要素および機能のうちの１つまたは複数に関連付けられた処理機能を実行するためのプロセッサ１３０を含み得る。プロセッサ１３０は、プロセッサまたはマルチコアプロセッサの単一または複数のセットを一部として含むことができる。さらに、プロセッサ１３０は、コンピューティングプラットフォーム１３２として示される、統合処理システムおよび／または分散処理システムとして実装できる。
【００３５】
ユーザ機器１０２は、プロセッサ１３０によって実行されているアプリケーションのローカルバージョンを記憶するためなどのメモリ１３４をさらに含む。メモリ１３４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータが使用できる任意のタイプのメモリを含むことができる。たとえば、メモリ１３４は、少なくとも一部は、データストア１３５を備えることができ、データストア１３５は、本明細書で説明する態様に関連して採用される情報、データベース、およびプログラムの大容量記憶を与えるハードウェアおよび／またはソフトウェアの任意の適切な組合せとすることができる。たとえば、データストア１３５は、プロセッサ１３０によって現在実行されていないアプリケーションのためのデータリポジトリ（data repository）であり得る。
【００３６】
さらにユーザ機器１０２は、本明細書で説明するように、ハードウェア、ソフトウェア、およびサービスを利用して、１つまたは複数の相手との通信を確立し、維持することを行う通信構成要素１３６を含む。通信構成要素１３６は、ユーザ機器１０２上の構成要素間、ならびにユーザ機器１０２と、たとえば外部入出力（Ｉ／Ｏ）インターフェース１３８を介して通信ネットワークにわたって配置されるデバイス、または内部バスインターフェース１４０を介して連続的にまたはローカルにユーザ機器１０２に接続されるデバイスなどの外部デバイスとの間に通信をもたらすことができ得る。たとえば、通信構成要素１３６は、１つまたは複数のバス１４２を含み得、送信チェーン構成要素および受信チェーン構成要素をさらに含み得、明快のために送信チェーンでは、変調器１４４、送信機１０５、および送信アンテナ（第１のアンテナ１０６および第２のアンテナ１１４）、および受信チェーンでは、受信アンテナ（第１のアンテナ１０６および第２のアンテナ１１４）、受信機１１８、および復調器１４６として示される。
【００３７】
ユーザ機器１０２は、さらに、ユーザ機器１０２のユーザから入力を受けるように動作可能であり、ユーザへの提示のための出力を生成するようにさらに動作可能なユーザインターフェース１４８を含み得る。ユーザインターフェース１４８は、限定はしないが、キーボード、テンキー、マウス、タッチセンシティブディスプレイ、ナビゲーションキー、ファンクションキー、マイクロフォン、音声認識構成要素、ユーザから入力を受けることが可能な任意の他の機構、またはそれらの任意の組合せを含む、１つまたは複数の入力デバイスを含み得る。さらに、ユーザインターフェース１４８は、限定はしないが、ディスプレイ、スピーカ、触覚フィードバック機構、プリンタ、出力をユーザに提示することが可能な任意の他の機構、またはそれらの任意の組合せを含む、１つまたは複数の出力デバイスを含み得る。
【００３８】
ユーザ機器１０２は、ＵＬＴＤコントローラ１２２と、測定値１１６と、有効化条件１２４とを組み込むことができ、メモリ１３４、データストア１３５、または両方ともに常駐する。たとえば測定値１１６のための有効化閾値からヒステリシスのためにオフセットされる無効化閾値など、無効化条件１５０もメモリ１３４に存在し得る。
【００３９】
図２では、本開示は、たとえばスイッチトアンテナ送信ダイバーシティ（ＳＡＴＤ）、ビームフォーミング送信ダイバーシティ（ＢＦＴＤ）のいずれかによるアップリンク送信ダイバーシティのための方法を提供する。ユーザ機器は、第１のアンテナ上でアップリンクを送信する（ブロック２０４）。サービングノードまたはユーザ機器のいずれかによって、アップリンク送信ダイバーシティが条件付きで許可されることが決定される（ブロック２０６）。値は、サービングノードまたはユーザ機器のいずれかによって測定される（ブロック２０８）。ユーザ機器は、値に基づく有効化条件が満たされることを決定することに応答して、アップリンク送信ダイバーシティのためにユーザ機器の少なくとも部分的に第２のアンテナにおいてアップリンクを送信する（ブロック２１０）。
【００４０】
ＳＡＴＤを使用する一態様では、方法２００は、第１のアンテナにおける送信と第２のアンテナにおける送信との間の切替え以降経過した時間の値を測定し、経過した時間の値を構成可能な値であり得る最小経過時間閾値の有効化条件と比較することに応答して、第１のアンテナと第２のアンテナとの間の切替えを有効にすることをさらに提供し得る。
【００４１】
別の例では、ＳＡＴＤでの第１のアンテナと第２のアンテナとの間の切替えを無効にすることは、ユーザ機器がデュアルキャリア高速アップリンクパケットアクセス（ＤＣ−ＨＳＵＰＡ）のために構成されていることを決定することに応答し得る。
【００４２】
追加の例では、値に基づく有効化条件が満たされることを決定することが、ユーザ機器の電力ヘッドルームの値を有効化閾値と比較することをさらに備える。
【００４３】
さらなる態様では、値に基づく有効化条件が満たされることを比較することが、ユーザ機器のアクティブセットサイズの値をアクティブセット閾値と比較することをさらに備える。たとえば、アクティブセット閾値は、１である。
【００４４】
さらに別の態様では、値に基づく有効化条件が満たされることを決定することが、共通パイロットチャネル（ＣＰＩＣＨ）受信信号符号電力（ＲＳＣＰ）の値を有効化閾値と比較することをさらに備える。
【００４５】
さらなる追加の態様では、値に基づく有効化条件が満たされることを決定することが、ユニバーサルモバイル通信システム（ＵＭＴＳ）地上無線アクセス（ＵＴＲＡ）キャリア受信信号強度（ＲＳＳＩ）の値を有効化閾値と比較することをさらに備える。
【００４６】
またさらなる態様では、値に基づく有効化条件が満たされることを決定することが、チップエネルギーをサービングノードからのダウンリンクのノイズ密度（Ｅｃ／Ｎｏ）で割った値を有効化閾値と比較することをさらに備える。
【００４７】
別の態様では、値に基づく有効化条件が満たされることを決定することが、ユーザ機器による送信電力の値を有効化閾値と比較することをさらに備える。例示的な態様では、有効化条件が満たされることを決定することが、リリース１９９９専用チャネル（ＤＣＨ）のみがユーザ機器上に構成されていることを決定することをさらに備える。
【００４８】
追加の態様では、値に基づく有効化条件が満たされることを決定することが、ユーザ機器の速度を備える値を有効化閾値と比較することをさらに備える。
【００４９】
さらなる態様では、値に基づく有効化条件が満たされることを決定することが、サービングノードからのユーザ機器の距離を備える値を有効化閾値と比較することをさらに備える。
【００５０】
さらに別の態様では、値に基づく有効化条件が満たされることを決定することが、ユーザ機器によって送信される平均データレートを備える値を有効化閾値と比較することをさらに備える。
【００５１】
さらなる追加の態様では、値に基づく有効化条件が満たされることを決定することが、無線リソース管理（ＲＲＭ）操作の継続時間を備える値を有効化閾値と比較することをさらに備える。
【００５２】
またさらなる態様では、値に基づく有効化条件が満たされることを決定することが、干渉管理操作の持続時間を備える値を有効化閾値と比較することをさらに備える。
【００５３】
別の態様では、値に基づく有効化条件が満たされることを決定することが、サービスされる複数のユーザ機器のトラフィック特性を備える値を有効化閾値と比較することをさらに備える。
【００５４】
追加の態様では、有効化条件が満たされることを決定することが、選択された時間量内のアンテナ切替えの数を備える値を有効化閾値と比較することをさらに備える。
【００５５】
さらなる態様では、方法は、値に基づく無効化条件が満たされることを決定することに応答して、アップリンク送信ダイバーシティを無効にすることをさらに提供する。無効化条件は、ヒステリシスのための閾値調整とともに有効化閾値を備える有効化条件に等しい無効化閾値を備える。
【００５６】
図３〜図６を参照して本明細書でさらに説明するのは、開示の原理が適用され得るユニバーサルモバイル通信システム（ＵＭＴＳ）に従って動作する無線ネットワークの一例である。ベースノード（ノードＢ３１０、３１１、３１４）、および無線ネットワークコントローラ３４１〜３４４は、「無線ネットワーク」、「ＲＮ」、「アクセスネットワーク（ＡＮ）」と呼ばれるネットワークの部分である。無線ネットワークは、ＵＭＴＳ地上無線アクセスネットワーク（ＵＴＲＡＮ）とすることができる。ＵＭＴＳ地上無線アクセスネットワーク（ＵＴＲＡＮ）は、ＵＭＴＳ無線アクセスネットワークを構成する、ノードＢ（または基地局）と、それが含むノードＢ（または無線ネットワークコントローラ（ＲＮＣ））の制御機器との全体語である。これは、リアルタイム回線交換とＩＰベースパケット交換との両方のトラフィックタイプを運ぶことができる３Ｇ通信ネットワークである。ＵＴＲＡＮは、ユーザ機器（ＵＥ）３２３〜３２７のエアインターフェースアクセス方法を提供する。接続は、ＵＴＲＡＮによって、ＵＥ（ユーザ機器）とコアネットワークとの間に提供される。無線ネットワークは、複数のユーザ機器デバイス３２３〜３２７間でデータパケットをトランスポートし得る。
【００５７】
ＵＴＲＡＮは、４つのインターフェースＩｕ、Ｕｕ、ＩｕｂおよびＩｕｒによって他の機能エンティティに内部または外部で接続される。ＵＴＲＡＮは、Ｉｕと呼ばれる外部インターフェースを介してＧＳＭ（登録商標）コアネットワーク３２１に接続される。無線ネットワークコントローラ（ＲＮＣ）３４１〜３４４（図４に示される）は、そのうちのＲＮＣ３４１、３４２が図３に示されており、このインターフェースをサポートする。さらに、ＲＮＣ３４１〜３４４は、Ｉｕｂと標示されたインターフェースを介してノードＢと呼ばれる１組の基地局を管理する。Ｉｕｒインターフェースは、２つのＲＮＣ３４１〜３４２を互いに接続する。ＲＮＣ３４１〜３４４がＩｕｒインターフェースによって相互接続されるので、ＵＴＲＡＮは大部分はコアネットワーク３２１から自律している。図３に、ＲＮＣと、ノードＢと、ＩｕインターフェースおよびＵｕインターフェースとを使用する通信システムを開示する。Ｕｕも外部にあり、ノードＢ３１０、３１１、３１４をＵＥ３２３〜３２７と接続するが、Ｉｕｂは、ＲＮＣ３４２〜３４４をノードＢ３１０、３１１、３１４と接続する内部インターフェースである。
【００５８】
無線ネットワークは、上述のように、企業内イントラネット、インターネットまたは従来の公衆交換電話網など、無線ネットワーク外部の追加のネットワークにさらに接続され得、各ユーザ機器３２３〜３２７とそのような外部のネットワークとの間でデータパケットをトランスポートし得る。
【００５９】
図４は、ノードＢ３１０、３１１、および３１４（または基地局もしくはワイヤレス送受信基地局）に結合された無線ネットワークコントローラ（ＲＮＣ）（または基地局コントローラ（ＢＳＣ））３４１〜３４４を含む、通信ネットワーク３００の選択された構成要素を示す。ノードＢ３１０、３１１、３１４は、対応するワイヤレス接続３５５、３６７、３８２、３９２、３９３、３９４を介してユーザ機器（または遠隔局）３２３〜３２７と通信する。通信チャネルは、ノードＢ３１０、３１１、３１４からユーザ機器（ＵＥ）３２３〜３２７への送信のための（ダウンリンクとしても知られる）順方向リンク（ＦＬ）と、ＵＥ３２３〜３２７からノードＢ３１０、３１１、３１４への送信のための（アップリンクとしても知られる）逆方向リンク（ＲＬ）とを含む。ＲＮＣ３４１〜３４４は１つまたは複数のノードＢに制御機能を与える。無線ネットワークコントローラ３４１〜３４４は、モバイル交換センター（ＭＳＣ）３５１、３５２を介して公衆交換電話網（ＰＳＴＮ）３４８に結合される。別の例では、無線ネットワークコントローラ３４１〜３４４は、パケットデータサーバノード（ＰＤＳＮ）（図示せず）を介してパケット交換ネットワーク（ＰＳＮ）（図示せず）に結合される。無線ネットワークコントローラ３４１〜３４４およびパケットデータサーバノードなど、様々なネットワーク要素間のデータ交換は、任意の数のプロトコル、たとえば、インターネットプロトコル（ＩＰ）、非同期転送モード（ＡＴＭ）プロトコル、Ｔ１、Ｅ１、フレームリレーまたは他のプロトコルを使用して実装され得る。
【００６０】
各ＲＮＣは、複数の役割を満たす。第１に、ノードＢを使用することを試みる新しいモバイルまたはサービスの承認を制御することができ得る。第２に、ノードＢまたは基地局の観点から、ＲＮＣは、制御ＲＮＣである。承認を制御することは、ネットワークが利用可能なものまでモバイルに無線リソース（帯域幅および信号対雑音比）が割り振られることを確実にする。ＲＮＣは、ノードＢのＩｕｂインターフェースが終端するところである。ＵＥまたはモバイルの観点から、ＲＮＣはサービングＲＮＣとして働き、そこで、モバイルのリンクレイヤ通信を終端する。コアネットワークの観点から、サービングＲＮＣは、ＵＥのためのＩｕを終端する。また、サービングＲＮＣは、そのＩｕインターフェースを介してコアネットワークを使用しようと試みる新しいモバイルまたはサービスの承認を制御する。
【００６１】
Ｗ−ＣＤＭＡ：エアインターフェースの場合、ＵＭＴＳは、最も一般的には、広帯域符号分割多元接続（またはＷ−ＣＤＭＡ）として知られる広帯域スペクトラム拡散モバイルエアインターフェースを使用する。Ｗ−ＣＤＭＡは、別々のユーザに対して直接シーケンス符号分割多元接続シグナリング方法（direct sequence code division multiple access signaling method）（またはＣＤＭＡ）を使用する。Ｗ−ＣＤＭＡ（広帯域符号分割多元接続）は、モバイル通信のための第３世代規格である。Ｗ−ＣＤＭＡは、限られたデータ機能をもつボイス通信に適応されるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）、第２世代規格から発展した。Ｗ−ＣＤＭＡの第１の商用展開は、Ｗ−ＣＤＭＡリリース９９と呼ばれる規格のバージョンに基づく。
【００６２】
リリース９９仕様は、アップリンクパケットデータを有効化する２つの技法を定義している。最も一般的には、データ送信は、専用チャネル（ＤＣＨ）またはランダムアクセスチャネル（ＲＡＣＨ）のいずれかを使用してサポートされる。しかしながら、ＤＣＨは、パケットデータサービスのサポートのための１次チャネルである。各遠隔局（またはユーザ機器）３２３〜３２７は、直交可変拡散率（ＯＶＳＦ）符号を使用する。ＯＶＳＦ符号は、個々の通信チャネルを一意に識別するのを容易にする直交符号である。さらに、ソフトハンドオーバを使用してマイクロダイバーシティがサポートされ、閉ループ電力制御がＤＣＨとともに採用される。
【００６３】
送信されたパイロット信号を含む送信されたデータを拡散するために、通常、擬似ランダム雑音（ＰＮ）系列がＣＤＭＡシステムにおいて使用される。ＰＮ系列の単一の値を送信するように要求される時間はチップとして知られ、チップが変動するレートはチップレートとして知られている。受信機がそれのＰＮ系列をノードＢ３１０、３１１、３１４のＰＮ系列に整合させる受信機は、直接シーケンスＣＤＭＡシステムの設計に固有である。Ｗ−ＣＤＭＡ規格によって定義されたものなど、いくつかのシステムは、プライマリスクランブリングコードとして知られる、各々についての一意のＰＮ符号を使用して基地局（ノードＢ３１０、３１１、３１４）を区別する。Ｗ−ＣＤＭＡ規格は、ダウンリンクをスクランブルするための２つのゴールド符号系列、すなわち、同相成分（Ｉ）のためのゴールド符号系列と、直角位相（Ｑ）のための別のゴールド符号系列とを定義している。Ｉ  ＰＮ系列およびＱ  ＰＮ系列は一緒に、データ変調なしにセル全体にわたってブロードキャストされる。このブロードキャストは、共通パイロットチャネル（ＣＰＩＣＨ）と呼ばれる。生成されたＰＮ系列は、３８，４００チップの長さに切り捨てられる。３８，４００チップの期間は無線フレームと呼ばれる。各無線フレームは、スロットと呼ばれる３５個の等しいセクションに分割される。Ｗ−ＣＤＭＡであるノードＢ３１０、３１１、３１４は、互いに対して非同期的に動作し、したがって、１つの基地局（ノードＢ３１０、３１１、３１４）のフレームタイミングの知識は、任意の他のノードＢ３１０、３１１、３１４のフレームタイミングの知識につながらない。この知識を取得するために、Ｗ−ＣＤＭＡシステムは同期チャネルとセル探索技法とを使用する。
【００６４】
ＨＳＰＡ（高速パケットアクセス）：３ＧＰＰリリース５以降は高速ダウンリンクパケットアクセス（ＨＳＤＰＡ）をサポートしている。３ＧＰＰリリース６以降は高速アップリンクパケットアクセス（ＨＳＵＰＡ）をサポートしている。ＨＳＤＰＡおよびＨＳＵＰＡは、それぞれダウンリンクおよびアップリンク上での高速パケットデータ送信を可能にするチャネルと手順の組（sets）である。リリース７  ＨＳＰＡ＋は、データレートを改善するために３つの拡張を使用している。第１に、それは、ダウンリンク上での２×２多入力多出力（ＭＩＭＯ）のサポートを導入した。ＭＩＭＯの場合、ダウンリンク上でサポートされるピークデータレートは、２８Ｍｂｐｓである。第２に、高次変調がダウンリンク上で導入されている。ダウンリンク上での６４直交振幅変調（ＱＡＭ）の使用は、ピークデータレート２１Ｍｂｐｓを可能にする。第３に、高次変調がアップリンク上で導入されている。アップリンク上での１６ＱＡＭの使用は、ピークデータレート１１Ｍｂｐｓ（メガビット毎秒）を可能にする。
【００６５】
ＨＳＵＰＡでは、ノードＢ３１０、３１１、３１４は、いくつかのユーザ機器デバイス３２３〜３２７がある電力レベルにおいて同時に送信することを許可する。これらの許可は、短期ベースで（数十ミリ秒ごとに）リソースを割り振る高速スケジューリングアルゴリズム（fast scheduling algorithm）を使用することによってユーザに割り当てられる。ＨＳＵＰＡの迅速なスケジューリングは、パケットデータのバースト的性質に好適である。高いアクティビティの期間中に、ユーザは、より大きい割合の利用可能なリソースを得ることがあるが、低いアクティビティの期間中にほとんどまたはまったく帯域幅を得ないことがある。
【００６６】
３ＧＰＰリリース５  ＨＳＤＰＡでは、アクセスネットワークの送受信基地局（ノードＢ３１０、３１１、３１４）は、ユーザ機器デバイス３２３〜３２７に、ダウンリンクペイロードデータを高速ダウンリンク共有チャネル（ＨＳ−ＤＳＣＨ）上で送り、ダウンリンクデータに関連する制御情報を高速共有制御チャネル（ＨＳ−ＳＣＣＨ）上で送る。データ送信のために使用される２５６個のＯｒｔｈｏｇｏｎａｌ  Ｖａｒｉａｂｌｅ  Ｓｐｒｅａｄｉｎｇ  Ｆａｃｔｏｒ（ＯＶＳＦまたはウォルシュ）符号がある。ＨＳＤＰＡシステムでは、これらの符号は、セルラーテレフォニー（ボイス）のために一般に使用されるリリース１９９９（レガシーシステム）符号と、データサービスのために使用されるＨＳＤＰＡ符号とに区分される。送信時間インターバル（ＴＴＩ）ごとに、ＨＳＤＰＡ対応ユーザ機器デバイス３２３〜３２７に送られた専用制御情報は、デバイスに対して、符号空間内のどの符号がダウンリンクペイロードデータをデバイスに送るために使用されるかと、ダウンリンクペイロードデータの送信のために使用される変調とを示す。
【００６７】
ＨＳＤＰＡ動作の場合、ユーザ機器デバイス３２３〜３２７へのダウンリンク送信は、１５個の利用可能なＨＳＤＰＡ  ＯＶＳＦ符号を使用して、異なる送信時間インターバル（ＴＴＩ）のためにスケジュールされ得る。所与のＴＴＩ（ＴＴＩ）の間、ＴＴＩ中にデバイスに割り振られたダウンリンク帯域幅に応じて、各ユーザ機器デバイス３２３〜３２７は、１５個のＨＳＤＰＡ符号のうちの１つまたは複数を使用し得る。
【００６８】
ＭＩＭＯシステムにおいて、送信機アンテナおよび受信機アンテナからの対応する信号経路（signal paths）を有するある数「Ｎ」の送信機アンテナ×別の数「Ｍ」の受信アンテナがある。これらの経路上の信号は、同一でない。ＭＩＭＯは複数のデータ送信パイプ（pipes）を作成する。パイプは、時空間領域において直交である。パイプの数はシステムのランクに等しい。これらのパイプが時空間領域において直交であるので、それらは互いとの干渉をほとんど生じない。データパイプは、Ｎ×Ｍ個の経路上の信号を適切に組み合わせることによる適切なデジタル信号処理を用いて実現される。送信パイプは、アンテナ送信チェーンまたはいずれか１つの特定の送信経路に対応しないことに留意されたい。
【００６９】
通信システムは単一のキャリア周波数または複数のキャリア周波数を使用し得る。各リンクは、異なる数のキャリア周波数を組み込み得る。さらに、ユーザ機器デバイス３２３〜３２７などのアクセス端末は、ワイヤレスチャネルを介して、あるいは、たとえば、光ファイバまたは同軸ケーブルを使用するワイヤードチャネルを介して通信する任意のデータデバイスであり得る。ユーザ機器３２３〜３２７などのアクセス端末は、限定はしないが、ＰＣカード、コンパクトフラッシュ（登録商標）、外部または内部モデム、あるいはワイヤレス電話または有線電話を含む、いくつかのタイプのデバイスのいずれかであり得る。アクセス端末は、ユーザ機器（ＵＥ）３２３〜３２７、遠隔局、移動局または加入者局としても知られている。また、ＵＥ３２３〜３２７は移動または固定であり得る。
【００７０】
１つまたは複数のノードＢ３１０、３１１、３１４とのアクティブトラフィックチャネル接続を確立したユーザ機器３２３〜３２７は、アクティブユーザ機器３２３〜３２７と呼ばれ、トラフィック状態にあると言われる。１つまたは複数のノードＢ３１０、３１１、３１４とのアクティブトラフィックチャネル接続を確立中であるユーザ機器３２３〜３２７は、接続セットアップ状態にあると言われる。ユーザ機器３２３〜３２７が信号をノードＢ３１０、３１１、３１４に送る通信リンクは、アップリンクと呼ばれる。ノードＢ３１０、３１１、３１４が信号をユーザ機器３２３〜３２７に送る通信リンクは、ダウンリンクと呼ばれる。
【００７１】
図５は、本明細書において以下で詳述され、具体的には、ノードＢ３１０、３１１、３１４および無線ネットワークコントローラ３４１〜３４４は、パケットネットワークインターフェース３４６とインターフェースをとる（図５では、簡単のために、ノードＢ３１０、３１１、３１４のうちの１つのみ、およびＲＮＣ３４１〜３４４のうちの１つのみが示される）。ノードＢ３１０、３１１、３１４および無線ネットワークコントローラ３４１〜３４４は、図３および図５に、１つまたは複数のノードＢ３１０、３１１、３１４および無線ネットワークコントローラ３４１〜３４４を囲む点線として示される、無線ネットワークサーバ（ＲＮＳ）３８８の一部であり得る。次いで、送信すべき関連する量のデータを、ノードＢ３１０、３１１、３１４におけるデータキュー３７２から取り出し、データキュー３７２に関連するユーザ機器３２３〜３２７への送信のためにチャネル要素３６８に供給する。
【００７２】
無線ネットワークコントローラ３４１〜３４４は、モバイル交換センター３５１、３５２を介して公衆交換電話網（ＰＳＴＮ）３４８とインターフェースをとる。また、無線ネットワークコントローラ３４１〜３４４は、通信ネットワーク３００のノードＢ３１０、３１１、３１４とインターフェースをとる（簡単のために、図４には１つのノードＢ３１０、３１１、３１４のみが示される）。さらに、無線ネットワークコントローラ３４１〜３４４はパケットネットワークインターフェース３４６とインターフェースをとり得る。無線ネットワークコントローラ３４１〜３４４は、通信システム中のユーザ機器（ＵＥ）３２３〜３２７とパケットネットワークインターフェース３４６およびＰＳＴＮ３４８に接続された他のユーザとの間の通信を調整し得る。ＰＳＴＮ３４８は、標準電話ネットワーク（図５に図示せず）を介してユーザとインターフェースをとり得る。
【００７３】
無線ネットワークコントローラ３４１〜３４４は、多くのセレクタ要素３３６を含むが、簡単のために、図５には１つのみが示される。各セレクタ要素３３６は、１つまたは複数のノードＢ３１０、３１１、３１４と１つの遠隔局との間の通信を制御するために割り当てられる。セレクタ要素３３６が所与のユーザ機器３２３〜３２７に割り当てられていない場合、ユーザ機器３２３〜３２７をページングする必要が呼制御プロセッサ３４０に通知される。呼制御プロセッサ３４０は、次いで、ユーザ機器３２３〜３２７をページングするようにノードＢ３１０、３１１、３１４に指示する。
【００７４】
データソース３２２は、所与のユーザ機器３２３〜３２７に送信すべき、ある量のデータを含んでいる。データソース３２２はデータをパケットネットワークインターフェース３４６に供給する。パケットネットワークインターフェース３４６は、データを受信し、データをセレクタ要素３３６にルーティングする。セレクタ要素３３６は、次いで、データを、ターゲットユーザ機器３２３〜３２７と通信しているノードＢ３１０、３１１、３１４に送信する。一例では、各ノードＢ３１０、３１１、３１４は、ユーザ機器３２３〜３２７に送信されるべきデータを記憶するデータキュー３７２を維持する。
【００７５】
データパケットごとに、チャネル要素３６８は必要な制御フィールドを挿入する。一例では、チャネル要素３６８は、データパケットと制御フィールドとのサイクリック冗長検査（ＣＲＣ）、符号化を実行し、符号テールビットのセットを挿入する。データパケット、制御フィールド、ＣＲＣパリティビット、および符号テールビットは、フォーマットされたパケットを構成する。チャネル要素３６８は、次いで、フォーマットされたパケットを符号化し、符号化されたパケット内でシンボルをインターリーブ（またはリオーダー（reorders））する。インターリーブされたパケットは、ウォルシュ符号でカバーされ、短いＰＮＩ符号およびＰＮＱ符号で拡散される。拡散データが、信号を直交変調し、フィルタ処理し、増幅するＲＦユニット３７０に供給される。ダウンリンク信号が、アンテナを介してダウンリンクに無線で送信される。
【００７６】
ユーザ機器３２３〜３２７で、ダウンリンク信号は、アンテナによって受信され、受信機にルーティングされる。受信機は、信号をフィルタ処理し、増幅し、直交復調し、量子化する。デジタル化された信号は、復調器（ＤＥＭＯＤ）に供給され、短いＰＮＩ符号およびＰＮＱ符号で逆拡散され、ウォルシュカバーでデカバー（decover）される。復調されたデータが、ノードＢ３１０、３１１、３１４において行われた信号処理機能の逆、具体的には、デインターリーブ、復号、ＣＲＣ検査機能を実行するデコーダに供給される。復号されたデータがデータシンクに供給される。
【００７７】
図６に、（ＰＡ３０８を含む）送信回路３６４と、受信回路３０９と、電力コントローラ３０７と、復号プロセッサ３５８と、信号処理において使用する処理ユニット３０３と、メモリ３１６とを含む、ユーザ機器（ＵＥ）３２３〜３２７の一例を示す。送信回路３６４および受信回路３０９は、ＵＥ３２３〜３２７と遠隔ロケーションとの間で、オーディオ通信など、データの送信および受信を可能にし得る。送信回路３６４および受信回路３０９はアンテナ３１８に結合され得る。
【００７８】
処理ユニット３０３はＵＥ３２３〜３２７の動作を制御する。処理ユニット３０３はＣＰＵと呼ばれることもある。読取り専用メモリ（ＲＯＭ）とランダムアクセスメモリ（ＲＡＭ）の両方を含み得るメモリ３１６は、命令およびデータを処理ユニット３０３に供給する。メモリ３１６の一部は不揮発性ランダムアクセスメモリ（ＮＶＲＡＭ）をも含むことができる。
【００７９】
ＵＥ３２３〜３２７の様々な構成要素は、データバスに加えて、電力バス、制御信号バス、およびステータス信号バスを含み得るバスシステム３３０によって一緒に結合される。明快のために、様々なバスが図６にバスシステム３３０として示される。
【００８０】
説明される方法のステップは、図５に示すように、ノードＢ３１０、３１１、３１４中のメモリ３６１中にあるソフトウェアまたはファームウェア３８６の形態の命令としても記憶され得る。これらの命令は、図５のノードＢ３１０、３１１、３１４の制御ユニット３６２によって実行され得る。代替的に、または連携して、説明する方法のステップは、ＵＥ３２３〜３２７中のメモリ３１６中にあるソフトウェアまたはファームウェア３８４の形態の命令として記憶され得る。これらの命令は、図６中のＵＥ３２３〜３２７の処理ユニット３０３によって実行され得る。
【００８１】
図７に、たとえば、ユーザ機器３２３〜３２７において実装され得る、送信機構造および／またはプロセスの一例を示す。図７に示す機能および構成要素は、ソフトウェア、ハードウェア、またはソフトウェアとハードウェアとの組合せによって実装され得る。図７に示される機能に加えて、またはその代わりに、他の機能を図７に追加することができ得る。
【００８２】
図７では、データソース４００が、データｄ（ｔ）または４００ａをフレーム品質インジケータ（ＦＱＩ：frame quality indicator）／エンコーダ４０２に与える。ＦＱＩエンコーダ４０２は、データｄ（ｔ）にサイクリック冗長検査（ＣＲＣ：cyclic redundancy check）などのＦＱＩを付加し得る。ＦＱＩ／エンコーダ４０２はさらに、１つまたは複数のコーディング方式を使用してデータおよびＦＱＩを符号化して、符号化シンボル４０２ａを与え得る。各コーディング方式は、１つまたは複数のタイプのコーディング、たとえば、畳み込みコーディング、ターボコーディング、ブロックコーディング、反復コーディング、他のタイプのコーディングを含むか、またはまったくコーディングを含まないことがある。他のコーディング方式は、自動再送要求（ＡＲＱ）、ハイブリッドＡＲＱ（Ｈ−ＡＲＱ）、およびインクリメンタルリダンダンシ再送技法を含み得る。異なるタイプのデータが異なるコーディング方式を用いて符号化され得る。
【００８３】
インターリーバ４０４は、フェージングをなくすために時間的に符号化データシンボル４０２ａをインターリーブし、シンボル４０４ａを生成する。信号のインターリーブされたシンボル４０４ａは、フレームフォーマット４０５によって、あらかじめ定義されたフレームフォーマットにマッピングされ、フレーム４０５ａが生成される。一例では、フレームフォーマットは、フレームを、複数のサブセグメントから構成されるものとして指定し得る。サブセグメントは、所与の次元、たとえば、時間、周波数、コード、または任意の他の次元に沿った、フレームの連続する部分であり得る。フレームは、固定の複数のそのようなサブセグメントから構成され得、各サブセグメントは、フレームに割り振られるシンボルの総数の一部分を含んでいる。たとえば、Ｗ−ＣＤＭＡ規格に従って、サブセグメントがスロットとして定義され得る。ｃｄｍａ２０００規格によれば、サブセグメントは電力制御グループ（ＰＣＧ）として定義され得る。一例では、インターリーブされたシンボル４０４ａは、フレーム４０５ａを構成する複数Ｓ個のサブセグメントにセグメント化される。
【００８４】
フレームフォーマットはさらに、インターリーブされたシンボル４０４ａとともに、たとえば、制御シンボル（図示せず）を含むことを指定し得る。そのような制御シンボルは、たとえば、電力制御シンボル、フレームフォーマット情報シンボルなどを含み得る。
【００８５】
変調器４０６は、フレーム４０５ａを変調して被変調データ４０６ａを生成する。変調技法の例には、２位相シフトキーイング（ＢＰＳＫ）および４位相シフトキーイング（ＱＰＳＫ）がある。変調器４０６はまた、被変調データのシーケンスを反復し得る。
【００８６】
ベースバンド−無線周波数（ＲＦ）変換ブロック４０８は、被変調信号４０６ａをＲＦ信号に変換して、アンテナ４１０を介して信号４１０ａとしてワイヤレス通信リンク上で１つまたは複数のノードＢ局受信機に送信し得る。
【００８７】
ＳＡＴＤ送信機：図８に、スイッチトアンテナ送信ダイバーシティ（ＳＡＴＤ）送信機５００のブロック図が示される。図８に示すように、スイッチ５０２の導入以外に、追加の送受切換器５０４および追加の送信アンテナ５０６（２次またはダイバーシティアンテナと呼ばれる）が、単一のアンテナ５１０のみで送信するレガシーＵＥ５０８に追加される。特に、専用物理制御チャネル（ＤＰＣＣＨ）、専用物理データチャネル（ＤＰＤＣＨ）、進化型専用物理制御チャネル（Ｅ−ＤＰＣＣＨ）および進化型専用物理データチャネル（Ｅ−ＤＰＤＣＨ）は、それぞれの拡散構成要素５１２によって拡散され、加算器５１４で結合され、ミキサー５１６でＳDPCH,Nと混合され、変調構成要素５１８によって変調される。電力増幅器５２０を通過した後、ＵＬＴＤコントローラ５２２は、それぞれのＴｘアンテナ１  ５２６またはＴｘアンテナ２  ５２８によって送信するために第１の送受切換器５２４または追加の送受切換器５０４のいずれかに信号を向けるようにスイッチ５０２を制御する。
【００８８】
ＳＡＴＤ送信チェーンにおける追加の送受切換器および追加の送信アンテナの導入ため、本開示は、１次アンテナにおける既存の仕様において定義したすべてのＵＥ  Ｔｘコア要求をテストすることを提供し、追加の第２の送受切換器によって影響を受けるＴｘコア要求のみが２次またはダイバーシティアンテナにおいてテストされ得る。
【００８９】
言い換えれば、本開示は、１次送信アンテナ上で送信し、すべての既存のコアＴｘ仕様に対してテストするようにＵＥを静的に構成することを提供する。さらに、ＵＥは、第２の送信アンテナ上で送信し、既存のＴｘコア仕様のサブセットについてテストされるように静的に構成される。
【００９０】
次に、ＳＡＴＤ  ＵＥに特有の追加のＴｘコア仕様が開示される。
【００９１】
本開示は、アンテナ切替えレートに対処する。ＳＡＴＤでは、ＵＥの送信アンテナの動的切替えのため、ノードＢの受信機への潜在的な影響がある。特に、ＵＥの送信アンテナのそれぞれとノードＢの受信アンテナのそれぞれとの間のチャネルインパルス応答は一般に独立しているため、アンテナを切り替える時点で、チャネルにおいて引き起こされる振幅および位相不連続性がある。これは、次に、ノードＢの受信機におけるチャネル推定サブシステムに潜在的に影響を与える可能性があり、パイロット（ＤＰＣＣＨ）ＳＮＲ動作点の向上をもたらし得る。
【００９２】
ＳＡＴＤでは、アンテナ切替えレートに対するノードＢ受信機の損失の感度があり得る。ＳＡＴＤデバイスにおける感度に対処するための１つの方法および装置は、１秒当たりのアンテナ切替えの数に関して送信アンテナ切替えレートを制限する（たとえば、１秒当たり２０回のアンテナ切替え）ことである。これは、ＳＡＴＤ対応ＵＥでは、送信アンテナ切替えレートが上限または閾値を超えないことを確実にする。
【００９３】
図９に示されるテストステップ６００は、ＳＡＴＤデバイスのアンテナ切替えレートをテストし、検証するために使用され得る。ハイレベルでは、テストステップ６００は、送信機（ＴＸ）６０４と、受信機（ＲＸ）６０６とを有するシステムシミュレータ（ＳＳ）６０２としてまとめることができる。ＳＳ６０２は、ＴＸ６０４を介してテスト中のＵＥ６０８による呼をセットアップする。ひとたびＵＥ６０８がＣＥＬＬ＿ＤＣＨになると、ＳＳ６０２は、送信電力制御（ＴＰＣ）ビットのダミーパターンをＵＥ６０８に送る。特に、スイッチ（「Ｓ」）６１０は、それぞれＵＥ６０８の１次ＴＸ／ＲＸ６１６および２次ＴＸ／ＲＸ６１８と結合する第１の送受信機６１２と第２の送受信機６１４との間で選択する。リンクシミュレーションからＴＰＣビットのトレースを集めることに基づいて、ダミーＴＰＣパターンの選択を決定することができる。ＳＳ６０２は、その受信機ＲＸ６０６での信号の有無を感知することによって、アンテナ切替えがいつ起こるかを検出する。
【００９４】
ＵＥ６０８は、ＳＳ６０２がその不在を感知できるように、十分に高い電力で送信している可能性がある。
【００９５】
ＵＥ６０８が２次またはダイバーシティアンテナ（２次ＴＸ／ＲＸ６１８）に切り替わるとき、ＳＳ６０２のＲＸ６０６との接続はない。
【００９６】
情報および信号は、様々な異なる技術および技法のうちのいずれかを使用して表すことができる。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９７】
図１０を参照すると、条件付きのアップリンク送信ダイバーシティのためのシステム７００が示されている。たとえば、システム７００は、少なくとも部分的にユーザ機器内に常駐することができる。システム７００は機能ブロックを含むものとして表されており、その機能ブロックは、コンピューティングプラットフォーム、プロセッサ、ソフトウェア、またはそれらの組合せ（たとえばファームウェア）によって実装される機能を表す機能ブロックとすることができることを諒解されたい。システム７００は、連携して動作することができる電気的構成要素の論理グルーピング７０２を含む。たとえば、論理グルーピング７０２は、ユーザ機器の第１のアンテナ上でアップリンクを送信するための電気的構成要素７０４を含むことができる。別の例では、論理グルーピング７０２は、アップリンク送信ダイバーシティが条件付きで許可されることを決定するための電気的構成要素７０６を含むことができる。別の例では、論理グルーピング７０２は、値を測定するための電気的構成要素７０８を含むことができる。さらなる例では、論理グルーピング７０２は、値に基づく有効化条件が満たされることを決定することに応答して、アップリンク送信ダイバーシティのためにユーザ機器の少なくとも部分的に第２のアンテナにおいてアップリンクを送信するための電気的構成要素７１０を含むことができる。さらに、システム７００は、電気的構成要素７０４〜７１０に関連する機能を実行するための命令を保持するメモリ７２０を含むことができる。メモリ７２０の外部にあるものとして示されているが、電気的構成要素７０４〜７１０のうちの１つまたは複数は、メモリ７２０の内部に存在することができることを理解されたい。
【００９８】
さらに、本明細書で開示する態様に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【００９９】
本出願で使用する「構成要素」、「モジュール」、「システム」などの用語は、ハードウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータとすることができ得るが、これらに限定されない。例として、サーバ上で実行されるアプリケーションと、そのサーバの両方を構成要素とすることができる。１つまたは複数の構成要素がプロセスおよび／または実行スレッド内に常駐することができ得、１つの構成要素を１つのコンピュータ上に配置し、および／または２つ以上のコンピュータ間に分散することができ得る。
【０１００】
「例示的」という単語は、本明細書では例、事例、または例示の働きをすることを意味するために使用する。「例示的」として本明細書で説明するいかなる態様または設計も、必ずしも他の態様または設計よりも好ましいまたは有利なものと解釈すべきではない。
【０１０１】
様々な態様を、いくつかの構成要素やモジュールなどを含み得るシステムに関して提示する。様々なシステムは、追加の構成要素やモジュールなどを含んでもよく、および／または各図に関連して論じる構成要素やモジュールなどのすべてを含まなくてもよいことを理解および諒解されたい。これらの手法の組合せを使用することもできる。本明細書で開示する様々な態様は、タッチスクリーンディスプレイ技術および／またはマウスおよびキーボードタイプインターフェースを利用するデバイスを含む、電気デバイス上で実行できる。そのようなデバイスの例には、コンピュータ（デスクトップおよびモバイル）、スマートフォン、携帯情報端末（ＰＤＡ）、およびワイヤードとワイヤレスの両方の他の電子デバイスがある。
【０１０２】
さらに、本明細書で開示する態様に関連して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１０３】
さらに、標準的なプログラミングおよび／またはエンジニアリング技法を使用して、開示する態様を実装するようにコンピュータを制御するためのソフトウェア、ファームウェア、ハードウェア、またはそれらの任意の組合せを生成する方法、装置、または製造品として１つまたは複数のバージョンを実装することができ得る。本明細書で使用する「製造品」（または代替的に「コンピュータプログラム製品」）という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップ．．．）、光ディスク（たとえば、コンパクトディスク（ＣＤ）、デジタル多目的ディスク（ＤＶＤ）．．．）、スマートカード、およびフラッシュメモリデバイス（たとえば、カード、スティック）を含むことができるが、これらに限定されない。さらに、電子メールを送信および受信する際またはインターネットもしくはローカルエリアネットワーク（ＬＡＮ）などのネットワークにアクセスする際に使用される搬送波など、搬送波を使用して、コンピュータ可読電子データを搬送することができることを諒解されたい。もちろん、開示する態様の範囲から逸脱することなく、この構成に対して多数の改変を行うことができ得ることを当業者ならば認識するであろう。
【０１０４】
本明細書で開示する態様に関して説明した方法またはアルゴリズムのステップは、直接ハードウェアで実施するか、プロセッサによって実行されるソフトウェアモジュールで実施するか、またはその２つの組合せで実施することができ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができ得る。例示的な記憶媒体は、プロセッサが記憶媒体から情報を読み取り、記憶媒体に情報を書き込むことができるようにプロセッサに結合される。代替として、記憶媒体はプロセッサに一体化することができ得る。プロセッサおよび記憶媒体はＡＳＩＣ中に常駐することができ得る。ＡＳＩＣは、ユーザ端末内に常駐することができ得る代替として、プロセッサおよび記憶媒体は、ユーザ端末内に個別構成要素として常駐することもでき得る。
【０１０５】
開示された態様の前述の説明は、当業者が本開示を実施または使用できるようにするために提供されるものである。これらの態様への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示した原理および新規の特徴に一致する最も広い範囲を与られるべきである。
【０１０６】
上記で説明した例示的なシステムに鑑みて、開示した主題に従って実装でき得る方法について、いくつかの流れ図を参照しながら説明した。説明を簡単にするために、方法を一連のブロックとして図示および説明したが、いくつかのブロックは本明細書で図示および説明したブロックとは異なる順序で、および／または他のブロックと同時に、行うことができ得るので、請求する主題はブロックの順序によって限定されないことを理解および諒解されたい。さらに、本明細書で説明する方法を実装するために、図示のすべてのブロックが必要とされるとは限らない。さらに、本明細書で開示した方法は、そのような方法をコンピュータに移送および転送することを可能にするために製造品に記憶することが可能であることをさらに諒解されたい。本明細書で使用する製造品という用語は、任意のコンピュータ可読デバイス、キャリア、または媒体からアクセス可能なコンピュータプログラムを包含するものとする。
【０１０７】
全体的または部分的に、参照により本明細書に組み込まれると言われる任意の特許、公報、または他の開示資料は、その組み込まれる資料が本開示で説明した既存の定義、記述、または他の開示資料と競合しない限り、本明細書に組み込まれることを諒解されたい。したがって、必要な限り、本明細書で明示的に説明した開示は、参照により本明細書に組み込まれる任意の競合する資料に取って代わる。参照により本明細書に組み込まれると言われるが、本明細書で説明した既存の定義、記述、または他の開示資料と競合する、いかなる資料またはその部分も、その組み込まれる資料と既存の開示資料との間に競合が生じない限り、組み込まれる。
【図１】
2013526236.tif 000003
【図２】
2013526236.tif 000004
【図３】
2013526236.tif 000005
【図４】
2013526236.tif 000006
【図５】
2013526236.tif 000007
【図６】
2013526236.tif 000008
【図７】
2013526236.tif 000009
【図８】
2013526236.tif 000010
【図９】
2013526236.tif 000011
【図１０】
2013526236.tif 000012
【国際調査報告】
2013526236.tif 000013
2013526236.tif 000014
2013526236.tif 000015
2013526236.tif 000016
2013526236.tif 000017
2013526236.tif 000018